【事件の表示】
　特願２０１５−　５４３７７「生体情報モニタ、及び生体情報システム」拒絶査定不服審判事件〔平成２８年　９月２９日出願公開、特開２０１６−１７１９６５〕について、次のとおり審決する。
【結　論】
　本件審判の請求は、成り立たない。
【理　由】
第１　手続の経緯
　本願は、平成２７年３月１８日の出願であって、平成３０年７月１８日付けで拒絶理由が通知され、同年９月１８日付けで意見書及び手続補正書が提出され、同年１０月１１日付けで拒絶査定されたところ、平成３１年１月７日に拒絶査定不服審判の請求がなされ、同時に手続補正がなされたものである。
第２　平成３１年１月７日にされた手続補正についての補正の却下の決定
［補正の却下の決定の結論］
　平成３１年１月７日にされた手続補正（以下「本件補正」という。）を却下する。
［理由］
１　本件補正について
（１）本件補正後の特許請求の範囲の記載
　本件補正により、本件補正前の特許請求の範囲の請求項６の記載は、請求項１として次のとおり補正された。（下線部は、補正箇所である。）
「　　【請求項１】
　被験者の生体信号と、入力ユニットからの
音、記録、キーカスタマイズ、または表示を除くその他の
　前記被験者の生体情報を表示する表示部と、
　前記生体信号を前記生体情報に変換して前記表示部に
連続的に
（２）本件補正前の特許請求の範囲
　本件補正前の、平成３０年９月１８日にされた手続補正により補正された特許請求の範囲の請求項６の記載は次のとおりである。
「　　【請求項６】
　被験者の生体信号と、入力ユニットからの設定情報と、を受信する通信部と、
　前記被験者の生体情報を表示する表示部と、
　前記生体信号を前記生体情報に変換して前記表示部に表示する制御を行うと共に、前記表示部への前記生体情報の表示中に前記設定情報を受信した場合に、前記表示部への前記生体情報の表示を継続した状態で前記設定情報に基づく自装置の設定変更をバックグラウンドで行う制御部と、を備える、生体情報モニタ。」
２　補正の適否
　本件補正は、補正前の請求項１〜５を削除して、補正前の請求項６〜１０を請求項１〜５とし、請求前の請求項６の「前記設定情報」を「
音、記録、キーカスタマイズ、または表示を除くその他の前記
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献３
（ア）原査定の拒絶の理由で引用された、本願出願前に頒布された又は電気通信回線を通じて公衆に利用可能となった引用文献である、特開２０１５−０００１７４号公報（平成２７年１月５日出願公開。以下「引用文献３」という。）には、図面とともに、次の記載がある。（下線は、当審に付与した。）
（引３ａ）「【００１８】
＜生体情報監視システムの概要＞
　図１は、本発明の一実施の形態に係る生体情報監視装置としてのセントラルモニタ装置を含む生体情報監視システムの概略構成を示す図である。
【００１９】
　図１の
生体情報監視システム１は、
ベッドサイドモニタ表示部１３
を有するベッドサイドモニタ
１０
セントラルモニタ
５０を有する
（引３ｂ）「【００２３】
　具体的には、
ベッドサイドモニタ１０は、ベッドサイドモニタ本体１１、マルチポートモジュール１２およびベッドサイドモニタ表示部１３を主として有する
（引３ｃ）「【００２７】
　また、
ベッドサイドモニタ本体１１は、マルチポートモジュール１２から受信した生体情報データに対して、計測値異常判定および不整脈解析等、各種の解析を、設定条件に従って適用す
（引３ｄ）「【００４３】
　また、
ベッドサイドモニタ表示部１３は、タッチパネルを備え
これにより、ユーザは表示画面上で各種操作を行うことができ
タッチパネル機能を用いた操作による入力は、入力信号としてベッドサイドモニタ本体１１に伝送され、この入力信号に基づいて、ベッドサイドモニタ本体１１において設定条件の変更等が行われ
設定条件が変更された場合、変更後の設定条件を示す設定条件情報は表示態様情報の一部として、ベッドサイドモニタ本体１１のＣＰＵにより、テレメータ送信機１４を介してセントラルモニタ５０に送信され
（引３ｅ）「【００４８】
＜セントラルモニタ５０の構成＞
　セントラルモニタ５０は、複数の生体情報収集装置（ここでは、ベッドサイドモニタ１０、医用テレメータ３０）が通信回線を介して複数接続される。セントラルモニタ５０は、ベッドサイドモニタ１０で収集される生体情報（心電図情報（ＥＣＧ）、呼吸、観血血圧、体温、酸素飽和度（ＳｐＯ２）、血圧等）、医用テレメータ３０で収集される生体情報（心電図情報、呼吸、ＳｐＯ２）を取得する。セントラルモニタ５０は、これら取得した生体情報を用いて、生体情報に対応する複数の患者を監視する。
【００４９】
　図２は、本発明の一実施の形態に係る生体情報監視装置としてのセントラルモニタ５０の構成を示すブロック図である。
【００５０】
　図１及び図２に示すように、
セントラルモニタ５０は、表示手段としてのセントラルモニタ本体５１及びセントラルモニタ表示部５３と、選択操作部（タッチパネル）５４とを備え
セントラルモニタ５０にはテレメータ受信機５２が接続され
【００５１】
　
テレメータ受信機５２は、無線により生体情報を送信し得る
ベッドサイドモニタ１０
との無線通信を可能にするアンテナおよび無線信号処理回路を有する
【００５２】
　
テレメータ受信機５２は、無線通信チャネルを介してベッドサイドモニタ１０
から送信された患者の生体情報を受信する
受信した生体情報は、セントラルモニタ本体５１の制御部５０３
に供給され
ントラルモニタ５０は、ベッドサイドモニタ１０
から各患者についての生体情報を無線でリアルタイムに取得することができ
【００５３】
　また、
テレメータ受信機５２は、無線通信チャネルを介してベッドサイドモニタ１０から患者の生体情報とともに送信された、ベッドサイドモニタ１０のベッドサイドモニタ表示部１３の表示態様を示す表示態様情報を受信する
受信した表示態様情報は、セントラルモニタ本体５１の制御部５０３
に供給され
【００５４】
　このように、本実施の形態では、テレメータ受信機５２が、ベッドサイドモニタ１０から生体情報とともにベッドサイドモニタ表示部１３の表示態様を示す表示態様情報を取得する取得手段として機能する。また、テレメータ受信機５２は、医用テレメータ３０から生体情報を取得する取得手段としても機能する。
【００５５】
　なお、セントラルモニタ５０とベッドサイドモニタ１０とを、ネットワークケーブルで接続（有線接続）して、相互にデータ交換が行えるようにしてもよい。つまり、図示しないネットワーク用コネクタ（例えば、ＬＡＮ接続コネクタ）に、ベッドサイドモニタ１０に接続されたケーブルを接続して、ベッドサイドモニタ１０から生体情報及び表示態様情報を取得する構成としてもよい。例えば、セントラルモニタ５０とベッドサイドモニタ１０とをケーブルを介して接続し、互いにベッドサイドモニタ表示部１３の表示画面態様情報を送受できる機能を有する構成としてもよい。このとき、上述したようにベッドサイドモニタ本体１１のＣＰＵが、外部から入力される設定情報に基づいて、ベッドサイドモニタ表示部１３に表示する表示態様を変更する機能を有するものとする。これにより、ベッドサイドモニタ１０側でベッドサイドモニタ表示部１３における個人画面の表示態様を変更できるとともに、セントラルモニタ５０の操作によってベッドサイドモニタ表示部１３の表示設定、つまり、表示態様を変更できる。なお、コネクタは、シリアルコネクタ、ＵＳＢコネクタおよび各種外部機器専用の接続コネクタのいずれかであってもよい。
【００５６】
　セントラルモニタ本体５１は、図２に示すように、入力部５０２、制御部５０３、記憶部５０５、音声出力部５０７を有する。
【００５７】
　入力部５０２は、ベッドサイドモニタ１０或いは医用テレメータ３０により収集される生体情報の対象である患者の患者情報の入力を受け付けて、制御部５０３に供給する。また、入力部５０２は、ユーザ（医療スタッフ）が患者情報を手入力するためのキーボードやマウス等のような操作手段であり、あるいは磁気カードに記録された患者情報を読み取るカードリーダである。また、入力部５０２は、セントラルモニタ表示部５３の表示モードを変更する際に用いてもよい。
【００５８】
　
制御部５０３は、セントラルモニタ５０内の各部における動作を制御するためのプログラムを記憶する記憶媒体とそのプログラムを実行する演算処理装置（ＣＰＵ）とを有する
【００５９】
　例えば、制御部５０３は、入力部５０２から供給された各患者の患者情報を記憶部５０５に格納して、患者情報を管理する。管理する患者情報には、主として患者の識別番号、氏名、性別および年齢が含まれるほか、病室、フロアまたは病棟の名称または番号が含まれる。補足的に、無線通信チャネルの番号を含むこともできる。さらに、患者を担当する医師および看護師の氏名やチーム情報を含むこともできる。なお、患者情報は、患者の生体情報ととともに患者個人情報に含まれる。
【００６０】
　また、
制御部５０３は、テレメータ受信機５２から順次供給される各患者についての生体情報をリアルタイムにセントラルモニタ表示部５３に表示させるための制御を行う
【００６１】
　また、制御部５０３は、テレメータ受信機５２から順次供給される各患者についての生体情報を、患者情報に対応付けて記憶部５０５に格納して、生体情報を管理する。
【００６２】
　また、
制御部５０３は、テレメータ受信機５２からベッドサイドモニタ１０の生体情報データが供給される場合、この生体情報ととともに供給される表示態様情報データを、患者情報に対応付けて記憶部５０５に格納して、生体情報を管理する
【００６３】
　さらに、制御部５０３は、ユーザが所定の操作を行ったときに、例えば、基本画面表示モードにおいて選択操作部５４を介して特定の患者を選択したとき、記憶部５０５に格納されている特定患者についての生体情報、表示態様情報を読み出す。そして制御部５０３は、リアルタイムで取得する生体情報、表示態様情報とともに、読み出した生体情報、表示態様情報から、患者の生体情報を含む患者個人情報の個人画面を示す個人画面表示モードとしての画像信号を生成する。
【００６４】
　具体的には、選択された特定の患者についての生体情報が、ベッドサイドモニタ１０により収集された生体情報である場合、
制御部５０３は、生体情報と表示態様情報とから画像信号を生成する
（イ）上記（ア）（引３ａ）〜（引３ｅ）より、引用文献３には、以下の発明（以下、「引用発明」という。）が記載されている。
「ベッドサイドモニタ表示部１３を有するベッドサイドモニタ１０と、セントラルモニタ５０とを有する生体情報監視システム１において
　ベッドサイドモニタ１０は、
　マルチポートモジュール１２から受信した生体情報データに対して、計測値異常判定および不整脈解析等、各種の解析を、設定条件に従って適用するベッドサイドモニタ本体１１と、
　ユーザが表示画面上で各種操作を行うことができるタッチパネルを備えるベッドサイドモニタ表示部１３とを有し、
　タッチパネル機能を用いた操作による入力は、入力信号としてベッドサイドモニタ本体１１に伝送され、この入力信号に基づいて、ベッドサイドモニタ本体１１において設定条件の変更等が行われ、
　設定条件が変更された場合、変更後の設定条件を示す設定条件情報は表示態様情報の一部として、ベッドサイドモニタ本体１１のＣＰＵにより、テレメータ送信機１４を介してセントラルモニタ５０に送信されるものであり、
　セントラルモニタ５０は、
　表示手段としてのセントラルモニタ本体５１及びセントラルモニタ表示部５３と、選択操作部（タッチパネル）５４とを備え、
　セントラルモニタ５０にはテレメータ受信機５２が接続され、
　テレメータ受信機５２は、
　無線により生体情報を送信し得るベッドサイドモニタ１０との無線通信を可能にするアンテナおよび無線信号処理回路を有し、無線通信チャネルを介してベッドサイドモニタ１０から送信された患者の生体情報を受信し、受信した生体情報は、セントラルモニタ本体５１の制御部５０３に供給され、ベッドサイドモニタ１０から各患者についての生体情報を無線でリアルタイムに取得することができ、無線通信チャネルを介してベッドサイドモニタ１０から患者の生体情報とともに送信された、ベッドサイドモニタ１０のベッドサイドモニタ表示部１３の表示態様を示す表示態様情報を受信し、受信した表示態様情報は、セントラルモニタ本体５１の制御部５０３に供給され、
　セントラルモニタ本体５１の制御部５０３は、
　セントラルモニタ５０内の各部における動作を制御するためのプログラムを記憶する記憶媒体とそのプログラムを実行する演算処理装置（ＣＰＵ）とを有し、テレメータ受信機５２から順次供給される各患者についての生体情報をリアルタイムにセントラルモニタ表示部５３に表示させるための制御を行い、テレメータ受信機５２からベッドサイドモニタ１０の生体情報データが供給される場合、この生体情報ととともに供給される表示態様情報データを、患者情報に対応付けて記憶部５０５に格納して、生体情報を管理し、生体情報と表示態様情報とから画像信号を生成するものである、
生体情報監視システム１。」
（３）引用発明との対比・判断
　本件補正発明と引用発明とを対比する。
ア　引用発明の「セントラルモニタ５０」は、本件補正発明の「生体情報モニタ」に相当する。
イ　引用発明の「ベッドサイドモニタ表示部１３」は、「ユーザが表示画面上で各種操作を行うことができるタッチパネルを備え」、「タッチパネル機能を用いた操作による入力は、入力信号としてベッドサイドモニタ本体１１に伝送され、この入力信号に基づいて、ベッドサイドモニタ本体１１において設定条件の変更等が行われ」るから、引用発明の「ベッドサイドモニタ表示部１３」は、本件補正発明の「入力ユニット」に相当する。
ウ　引用発明の「設定条件」は、「マルチポートモジュール１２から受信した生体情報データに対して、計測値異常判定および不整脈解析等、各種の解析」を行うための条件であって、これらの条件の示す情報は、表示を除くその他の設定情報であるといえる。そして、引用発明の「設定条件」は、「タッチパネル機能を用いた操作によ」り入力された「入力信号に基づいて」「変更等が行われ」るものである。
　すると、引用発明の「タッチパネル機能を用いた操作によ」り入力された「入力信号に基づいて」「変更等が行われ」、「マルチポートモジュール１２から受信した生体情報データに対して、計測値異常判定および不整脈解析等、各種の解析」を行うための「設定条件を示す設定条件情報」は、「表示を除くその他の設定情報」であるから、本件補正発明の「入力ユニットからの音、記録、キーカスタマイズ、または表示を除くその他の設定情報」に相当する。
エ　引用発明の「テレメータ受信機５２」は、「無線通信チャネルを介してベッドサイドモニタ１０から患者の生体情報とともに送信された、ベッドサイドモニタ１０のベッドサイドモニタ表示部１３の表示態様を示す表示態様情報を受信」するものであって、「ベッドサイドモニタ表示部１３の表示態様を示す表示態様情報」には、「設定条件が変更された場合、変更後の設定条件を示す設定条件情報」が、その一部として含まれ、「設定条件」は、「タッチパネル機能を用いた操作によ」り入力された「入力信号に基づいて」「変更等が行われ」るものであるから、引用発明の「無線通信チャネルを介してベッドサイドモニタ１０から患者の生体情報とともに送信された、ベッドサイドモニタ１０のベッドサイドモニタ表示部１３の表示態様を示す表示態様情報を受信」する「テレメータ受信機５２」は、本件補正発明の「被験者の生体信号と、入力ユニットからの音、記録、キーカスタマイズ、または表示を除くその他の設定情報と、を受信する通信部」に相当する。
オ　引用発明の「セントラルモニタ表示部５３」は、本件補正発明の「表示部」に相当する。そして、引用発明の「制御部５０３」は、「テレメータ受信機５２から順次供給される各患者についての生体情報をリアルタイムにセントラルモニタ表示部５３に表示させるための制御を行」っているから、引用発明の「テレメータ受信機５２から順次供給される各患者についての生体情報をリアルタイムに」「表示」する「セントラルモニタ表示部５３」は、本件補正発明の「前記被験者の生体情報を表示する表示部」に相当する。
カ　引用発明の「制御部５０３」は、本件補正発明の「制御部」に相当する。そして、引用発明の「テレメータ受信機５２から順次供給される各患者についての生体情報をリアルタイムにセントラルモニタ表示部５３に表示させるための制御を行」う「制御部５０３」は、本件補正発明の「前記生体信号を前記生体情報に変換して前記表示部に連続的に表示する制御を行う」「制御部」に相当する。
キ　引用発明の「制御部５０３」は、「テレメータ受信機５２からベッドサイドモニタ１０の生体情報データが供給される場合、この生体情報ととともに供給される表示態様情報データを、患者情報に対応付けて記憶部５０５に格納して、生体情報を管理し」、「生体情報と表示態様情報とから画像信号を生成する」するものである。そして、「ベッドサイドモニタ１０」において、「設定条件が変更された場合、変更後の設定条件を示す設定条件情報は表示態様情報の一部として、ベッドサイドモニタ本体１１のＣＰＵにより、テレメータ送信機１４を介してセントラルモニタ５０に送信される」から、「ベッドサイドモニタ１０」において、「設定条件が変更された場合」、「制御部５０３」は、「変更後の設定条件を示す設定条件情報」を一部として含む「表示態様情報」から「画像信号を生成する」ことになり、この変更は、「制御部５０３」にある「演算処理装置（ＣＰＵ）」により行われることから、「生体情報」を「セントラルモニタ表示部５３」に表示させたままバックグラウンドで行われることは明らかである。また、「ベッドサイドモニタ１０」における、「設定条件」の変更は、通常、「ベッドサイドモニタ表示部１３」に表示された「生体情報」を見ながら行うことも当然想定されていることから、「ベッドサイドモニタ１０」における、「設定条件」の変更は、「ベッドサイドモニタ表示部１３」への「生体情報」の表示中に行う場合も含んでいることは明らかである。
　すると、引用発明の「生体情報と表示態様情報とから画像信号を生成する」「制御部５０３」は、本件補正発明の「前記表示部への前記生体情報の表示中に前記設定情報が入力された場合に、前記表示部への前記生体情報の表示を継続した状態で前記設定情報に基づく自装置の設定変更をバックグラウンドで行う制御部」に相当する。
ク　以上アないしカより、本件補正発明は引用発明であるといえる。
　したがって、本件補正発明は、特許法２９条１項３号に該当し、特許出願の際独立して特許を受けることができないものである。
（４）請求人の主張について
　請求人は、審判請求書の【請求の理由】３．「（２）本願発明が特許されるべき理由」において、
「本願の請求項１に係る発明は上述の通りであり、概略すると『表示とは異なる各種設定（音、記録、カスタマイズキー等）を外部から受信し、生体情報の表示を継続しつつ、表示とは異なる各種設定の実行をバックグラウンドで行う』というものです。生体情報モニタの使用場面では、患者の容態を常時把握したまま各種設定を変更したいというニーズが少なからず存在します。すなわち表示態様が変わってしまうと患者の容態変化を把握しづらくなってしまうため、表示態様を変えることなく生体情報の表示を継続したまま、表示とは異なる各種設定（音、記録、カスタマイズキー等）の実行を行うことが望ましいと言えます。これに対し本願請求項１に係る発明は、“生体情報の表示に全く影響を与えることなく（生体情報の確認を今まで通り継続したまま）、表示とは異なる各種の設定を行うことが出来る”という効果を奏します。 
 　一方、引用文献３に記載は、ベッドサイドモニタとセントラルモニタの表示を同様にすることを目的とする技術を開示するものであり（引用文献３段落０００９〜００１１、００１５）、表示以外の各種設定（すなわち音、記録、カスタマイズキー等の設定）についての示唆や教示はありません。引用文献３に記載の技術は表示設定自体のみを変更するものであるため、表示を継続したまま他の（表示以外の）設定を変更するという構成を開示していないことは明らかです。すなわち引用文献３には、本願の請求項１が解決する『生体情報の表示に影響を与えることなく、表示とは異なる各種設定をモニタに反映させる』という課題や当該課題を解決する構成について言及するものではありません。 
 　このように本願請求項１に係る発明は、引用文献３（ひいては他の全ての引用文献）に記載のない『表示とは異なる各種設定（音、記録、カスタマイズキー等）を外部から受信し、生体情報の表示を継続しつつ、表示とは異なる各種設定の実行をバックグラウンドで行う』という構成を有します。そして、当該構成によって『生体情報の表示に全く影響を与えることなく（生体情報の確認を今まで通り継続したまま）、表示とは異なる各種の設定を行うことが出来る』という格別の効果を奏することから、各種の特許要件を満たすものと思料いたします。」 
旨、主張しているが、上記（３）ウで検討したとおり、引用発明には、「マルチポートモジュール１２から受信した生体情報データに対して、計測値異常判定および不整脈解析等、各種の解析」を行うための「設定条件を示す設定条件情報」が記載されており、これは「表示を除くその他の設定情報」であるから、引用発明には本件補正発明の「入力ユニットからの音、記録、キーカスタマイズ、または表示を除くその他の設定情報」が記載されているといえる。
　すると、「引用文献３に記載は、・・・表示以外の各種設定（すなわち音、記録、カスタマイズキー等の設定）についての示唆や教示」がないとした上記請求人の主張は、採用することができない。
３　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
第３　本願発明について
１　本願発明
　平成３１年１月７日にされた手続補正は、上記のとおり却下されたので、本願の請求項に係る発明は、平成３０年９月１８日にされた手続補正により補正された特許請求の範囲の請求項１ないし１０に記載された事項により特定されるものであるところ、その請求項６に係る発明（以下「本願発明」という。）は、その請求項６に記載された事項により特定される、前記第２［理由］１（２）に記載のとおりのものである。
２　原査定の拒絶の理由
　原査定の本件補正前の請求項６についての拒絶の理由は、以下のとおりである。
　この出願の補正前の請求項６に係る発明は、本願出願前に頒布された又は電気通信回線を通じて公衆に利用可能となった下記の引用文献３に記載された発明であるか又は引用文献３に記載された発明から、当業者が容易に想到できたものであるから、特許法２９条１項３号に該当するか、特許法２９条２項の規定により特許を受けることができない。
引用文献１：米国特許出願公開第２００１／００３７３６６号明細書（周知技術を示す文献）
引用文献２：米国特許出願公開第２０１４／００６７００７号明細書
引用文献３：特開２０１５−０００１７４号公報
引用文献４：特開２０１４−１８０３３８号公報（周知技術を示す文献）
３　引用文献
　原査定の拒絶の理由で引用された引用文献３及びその記載事項は、前記第２の［理由］２（２）に記載したとおりである。
４　対比・判断
　本願発明は、前記第２の［理由］２で検討した本件補正発明から、少なくとも「前記設定情報」を「
音、記録、キーカスタマイズ、または表示を除くその他の前記
　そうすると、本願発明の発明特定事項を全て含み、さらに他の事項を付加したものに相当する本件補正発明が、前記第２の［理由］２（３）に記載したとおり、引用発明であるといえるから、本願発明も、引用発明であるといえる。
　
第４　むすび
　以上のとおり、本願発明は、特許法２９条１項３号に該当し特許を受けることができないから、他の請求項に係る発明について検討するまでもなく、本願は拒絶されるべきものである。
よって、結論のとおり審決する。